(57)【要約】本発明は、マンモグラフィ又はトモシンセシス装置（１）に関し、この装置（１）は、第一に装置の通常動作のために構成されている展開位を有し、第二に装置の保管及び／又は輸送のための格納位を有するように構成されており、格納位では超小型軽量となり、格納位では当該装置（１）の保管及び／又は輸送及び／又は保護のための外殻（１０）を含んでいることを特徴とする。【選択図】図１
2014529468.tif 000002
【特許請求の範囲】
【請求項１】
マンモグラフィ又はトモシンセシスのための装置（１）であって、
・一方では当該装置の通常動作のために構成されている展開位を有し、
・他方では当該装置の保管及び／又は輸送のための格納位を有する
ように構成されており、
格納位では超小型軽量であり、格納位での当該装置（１）の保管及び／又は輸送のための外殻（１０）を含むことを特徴とする装置（１）。
【請求項２】
好ましくは差し込み形式の装着、ねじ付きナット形式の装着、又は可逆弾性圧入を介してガントリ（５）に着脱自在に装着されている少なくとも一つのＸ線源（２）を含んでいる請求項１に記載の装置（１）。
【請求項３】
好ましくは可逆弾性圧入形式、又はねじ付きナット形式若しくは差し込み形式の装着を介して当該装置（１）の本体（１７）に着脱自在に装着されているＸ線検出器（３１）を一体化した検出器プラットフォーム（３）を含んでいる請求項１又は請求項２に記載の装置（１）。
【請求項４】
前記検出器プラットフォーム（３）の周りで当該装置（１）の前記本体（１７）に回転装着されており、展開位及び格納位を有するように構成されている把手（９）を含んでいる請求項３に記載の装置（１）。
【請求項５】
前記線源（２）及び／又は前記検出器プラットフォーム（３）は、当該装置（１）の前記格納位では前記外殻（１０）に載置される、請求項２から請求項４の何れか一項に記載の装置。
【請求項６】
前記外殻（１０）は、格納位において当該装置（１）を輸送するための少なくとも一つの車輪（１６）を含んでおり、展開位において当該装置を安定化させるための制動系統を有利には含んでいる請求項１から請求項５の何れか一項に記載の装置。
【請求項７】
展開位において当該装置を安定化させるための少なくとも一つの台足（１３、１５、１７２）を含んでいる請求項１から請求項６の何れか一項に記載の装置。
【請求項８】
前記台足（１３、１５、１７２）は前記外殻（１０）の一部である、請求項７に記載の装置。
【請求項９】
前記台足（１３、１５、１７）は、展開位及び格納位を有するように構成されている、請求項７又は請求項８に記載の装置。
【請求項１０】
当該装置の本体（１７）に回転装着される少なくとも一つのＸ線源（２）を支持するガントリ（５）を含んでおり、該ガントリ（５）を均衡させるための手段（５２）を含んでおり、好ましくは前記ガントリ（５）を手動で回転設定するための把手（５１）を含んでいる請求項１から請求項９の何れか一項に記載の装置。
【請求項１１】
前記外殻（１０）の少なくとも一つの部分（１１）が当該装置（１）の本体（１７）の一部である、請求項１から請求項１０の何れか一項に記載の装置。
【請求項１２】
表面（Ｓ）を形成している検出器プラットフォーム（３）に患者の乳房を圧迫するように、当該装置（１）の本体（１７）に固定されている前記検出器プラットフォーム（３）に対して圧迫板（４）を移動させる機構（８０、８１、８２、８３、８４、８５）を含んでおり、
該機構（８０、８１、８２、８３、８４、８５）は、前記検出器プラットフォーム（３）及び／又は前記本体（１７）に対して移動自在の支柱（８０１、８１１、８２１、８３１、８４１、８５１）であって、前記表面（Ｓ）に対する当該支柱の最大伸長範囲（ｈ、ｈ′）が前記検出器プラットフォーム（３）に対する前記圧迫板（４）の前記移動に従うように構成されている支柱（８０１、８１１、８２１、８３１、８４１、８５１）を含んでいる、請求項１から請求項１１の何れか一項に記載の装置。
【請求項１３】
前記機構（８０、８１、８２、８３、８４、８５）を手動で始動させる指動輪（７１）を含んでいる請求項１２に記載の装置。
【請求項１４】
マンモグラフィ画像及び／又はトモシンセシス画像を記憶させるための記憶空間（１８）を含んでいる請求項１から請求項１３の何れか一項に記載の装置。
【請求項１５】
マンモグラフィ画像及び／又はトモシンセシス画像を制御し且つ／又は表示するための外部装置（２０）とのリンク（２０１）を有するように構成されている請求項１から請求項１４の何れか一項に記載の装置。
【請求項１６】
１００ｋｇ未満の重量である請求項１から請求項１５の何れか一項に記載の装置。
【発明の詳細な説明】
【技術分野】
【０００１】
本発明は、一方では装置の通常動作に適した展開位を有し、他方では装置を保管及び／又は輸送するための格納位を有するように構成されているマンモグラフィ又はトモシンセシス装置に関する。
【背景技術】
【０００２】
図１に示すように、マンモグラフィのための設備１が公知である。
【０００３】
前記設備は、特にＸ線撮影法を用いて二次元医用画像を得ることを可能にする。
【０００４】
かかる目的のために、公知の設備１は従来は、
・Ｘ線放出管２１を含む少なくとも一つのＸ線源２と、
・該線源２に対向して配置されており、患者の乳房（不図示）を収容して支持を与えるための検出器プラットフォーム３と
を含んでいる。
【０００５】
検出器プラットフォーム３は従来は、乳房支持板３０を含んでおり、支持板３０は実質的に透明であり又はＸ線減弱を殆ど有さず、Ｘ線が患者の乳房を通過した後にＸ線を検出する検出器３１を一体形成している。
【０００６】
検出器３１は従来は、センサのアレイ若しくはＸ線感光性フィルム・カセッテ、又は当業者に公知の他の任意のＸ線検出器であり得る。
【０００７】
検出器プラットフォーム３及びＸ線源２は、当該検出器プラットフォーム３及び線源２に対して中心軸Ａ−Ａ′の周囲に角度移動αを有することが可能な共通のガントリ５によって担持されており、マンモグラフィに望まれる様々な視角を走査する。
【０００８】
様々な患者の身長を考慮に入れるために、ガントリ５は垂直構造６に摺動自在に装着されている。従って、ガントリ５は、垂直構造６の範囲内で距離δだけ上下動することができる。
【０００９】
加えて、装置１は従来は、画像を撮影するときに乳房を検出器プラットフォーム３に押圧するのに用いられる圧迫板４（当業者はパドルと呼ぶ）を含んでいる。
【００１０】
圧迫板４はキャリッジ７に接続されており、キャリッジ７はレール８に沿ってガントリ５に並進装着されている。
【００１１】
レール８に沿ったキャリッジ７の移動は電動式であってもよいし、例えば指動輪（サムホイール）７１によって手動で行なわれてもよい。
【００１２】
図１の装置は相対的に重く（数百ｋｇ、典型的には２５０ｋｇ）、一般的にはマンモグラフィ専用のユニットとして固定的に設置される。
【００１３】
しかしながら、この装置は「移動式（mobile）」としての性格を持つ場合があり、この場合には装置は、マンモグラフィ用に設計されているワゴン車又はバスに載置されることができ、このワゴン車又はバスは一般的には、患者待合室、患者が衣類を着脱するための更衣室、及び装置によって得られる画像を解析するための解析室を含んでいる。
【００１４】
この場合には、設備は専用のワゴン車又はバスの内部に固定的に設置され、ワゴン車又はバスは移動自在であって、例えば癌スクリーニングのために遠隔区域に巡回することが可能である。
【００１５】
「小型軽量（portable）」としての性格を持つ設備も公知であり、この設備はワゴン車又はバスよりも扱いが容易である。
【００１６】
小型軽量設備はワゴン車又はバス、また選択随意でフォークリフト付き大型車によって輸送され得ることには違いないが、一つの同じ看護単位の範囲内、例えば病室から病室へで車輪に載せて輸送されることもできる。
【００１７】
図２（Ａ）及び図２（Ｂ）は、かかる小型軽量マンモグラフィ装置１の公知例を示す。
【００１８】
小型軽量装置１は、
・一方では図２（Ａ）に示す利用時の展開位と、
・他方では保管及び輸送のための格納位と
を有する。
【００１９】
図２（Ｂ）で分かるように、図２（Ａ）の展開位から格納位への切り替えは、ガントリ５を基台１６１へ向けて１８０°の角度βだけ回転させることにより得られる。
【００２０】
図１の装置とは異なり、垂直構造６は、装置１が病室から病室へ移動することを可能にする車輪１６に装着された基台６１を含んでいる。
【発明の概要】
【発明が解決しようとする課題】
【００２１】
しかしながら、図２（Ａ）及び図２（Ｂ）の小型軽量設備には欠点がある。
【００２２】
この設備は約２００ｋｇの重量があるため相対的に重い。従って、この設備は一人で又は二人でも可搬ではなく、ワゴン車、バス又は輸送航空機から荷下ろしするためには例えば業務用エレベータ又はフォークリフトの利用を必要とする。
【００２３】
加えて、図２（Ｂ）から認められるように、この装置は格納位にあるときに保護されておらず、すなわち装置の様々な部品が格納位での装置の輸送時に損傷を受け得ることを意味する。
【課題を解決するための手段】
【００２４】
本発明は、これらの短所の少なくとも一つを克服することを提案する。
【００２５】
この目的のために、本発明は、一方では当該装置の通常動作に適した展開位を有し、他方では設備の保管及び／又は輸送のための格納位を有するように構成されているマンモグラフィ又はトモシンセシスのための装置を提供し、この装置は、格納位では超小型軽量（ウルトラ・ポータブル）であり、格納位において装置の保管及び／又は輸送及び／又は保護のための外殻を含むことを特徴とする。
【００２６】
本発明は、単独で又は技術的に可能な任意の組み合わせで採用される下記の各特性によって有利に完成される。すなわち、
・装置は、好ましくは差し込み形式の装着、ねじ付きナット形式の装着、又は可逆弾性圧入を介してガントリに着脱自在に固定される少なくとも一つのＸ線源を含んでおり、
・装置は、好ましくは可逆弾性圧入、又はねじ付きナット形式装着若しくは差し込み形式装着を介して当該装置の本体に着脱自在に固定されるＸ線検出器を一体形成した検出器プラットフォームを含んでおり、
・装置は、検出器プラットフォームの周りで当該装置の本体に回転装着されて展開位及び格納位を有するように構成されている把手を含んでおり、
・線源及び／又は検出器プラットフォームは、装置の格納位では外殻の内部に配置され、
・外殻は、装置を格納位において輸送するための少なくとも一つの車輪を含んでおり、有利には装置を展開位において安定化させるための制動系統を含んでおり、
・装置は、当該装置を展開位において安定化させるための少なくとも一つの安定化用台足を含んでおり、
・台足は外殻の一部であり、
・台足は、展開位及び格納位を有するように構成されており、
・装置は、当該装置の本体に回転装着された少なくとも一つのＸ線源を支持するガントリを含んでおり、ガントリ均衡化手段を含んでおり、好ましくはガントリを手動で回転設定する把手を含んでおり、
・外殻の少なくとも一部は装置の本体の一部であり、
・装置は、当該装置の本体に固定されている検出器プラットフォームに対して圧迫板を移動させて、表面を形成する検出器プラットフォームに患者の乳房を押圧する機構を含んでおり、この機構は、検出器プラットフォーム及び／又は本体に対して移動自在である支柱であって、表面に対する当該支柱の最大伸長範囲が検出器プラットフォームに対する圧迫板の移動に従うことが可能であるように構成されている支柱を含んでおり、
・装置は、機構を始動させる手動指動輪を含んでおり、
・装置は、マンモグラフィ画像及び／又はトモシンセシス画像を記憶させるための空間を含んでおり、
・装置は、マンモグラフィ画像及び／又はトモシンセシス画像のための外部制御及び／又は表示装置と結合されるように構成されており、
・装置の重量は、１００ｋｇ未満である。
【００２７】
本発明は多くの利点を提供する。
【００２８】
装置は「超小型軽量（ウルトラ・ポータブル）」であり、すなわち重量が１００ｋｇ未満であるが、好ましくは８０ｋｇ未満であり、最も好ましくは重量は６０ｋｇと４０ｋｇとの間にある。
【００２９】
装置は超小型軽量であるので、一人又は二人までによって一つの場所からもう一つの場所まで輸送され得る。例えば、装置は、自動車のような輸送手段（移動式マンモグラフィ専用でない輸送手段）の貨物室から業務用エレベータ又はフォークリフトの助けなしに荷下ろしされることができ、また例えば一つの検査室からもう一つの検査室へ容易に輸送され得る。
【００３０】
好ましくは、非限定的態様であるが、装置には移動輪が設けられる。
【００３１】
本発明による装置は、格納位ではコンパクトであり、すなわち自動車のような輸送手段（移動式マンモグラフィ専用でない輸送手段）の貨物室の内部に容易に収まることを意味する。従って、占有容積は高さ１ｍ、幅０．５ｍ、及び奥行き約０．４ｍ程度である。さらにコンパクトにするために、Ｘ線源は好ましくは単体とされ、すなわちＸ線放出管及び対応する高電圧発生器の両方を含んでいる。
【００３２】
装置は最も有利には、保管及び／又は輸送用の外殻を含んでおり、格納位で保管及び／又は輸送されているときの装置の保護も保証する。
【００３３】
上述の外殻には好ましくは、限定しないが、移動輪が設けられる。
【００３４】
有利には、装置の全ての構成部品（特にＸ線源及び検出器プラットフォーム）は、装置が保管又は輸送の格納位にあるときには外殻の内部空間に配置される。従って、装置の保管及び輸送が極めて実用的になり、装置の全ての構成部品（特にＸ線源及び検出器プラットフォーム）が外殻によって保護される。
【図面の簡単な説明】
【００３５】
発明の他の特性、目的及び利点は以下の記載から明らかとなろう。以下の記載は単に説明のためのものであって限定するものではなく、添付図面を参照しながら読まれるべきである。
【図１】従来技術において公知のマンモグラフィ設備を示す図である。
【図２（Ａ）】従来技術において公知の小型軽量マンモグラフィ設備を示す図である。
【図２（Ｂ）】従来技術において公知の小型軽量マンモグラフィ設備を示す図である。
【図３（Ａ）】本発明による装置の第一の実施形態を示す図であり、保管用格納位における装置を示す図である。
【図３（Ｂ）】本発明による装置の第一の実施形態を示す図であり、輸送用格納位における装置を示す図である。
【図３（Ｃ）】本発明による装置の第一の実施形態を示す図であり、利用のための展開位における装置を示す図である。
【図４】展開位にある本発明による装置の第二の実施形態を示す図である。
【図５】展開位にある本発明による装置の第三の実施形態を示す図である。
【図６（Ａ）】患者の乳房を圧迫するように圧迫板を移動させる可能な機構であって、本発明による装置に組み入れられることが有利に可能である機構を概略的に示す図であり、摺動ブロックを含む機構の可能な一実施形態を示す図である。
【図６（Ｂ）】患者の乳房を圧迫するように圧迫板を移動させる可能な機構であって、本発明による装置に組み入れられることが有利に可能である機構を概略的に示す図であり、圧迫板を支持するアームに接続された摺動ブロックを含む機構の可能な一実施形態を示す図である。
【図６（Ｃ）】患者の乳房を圧迫するように圧迫板を移動させる可能な機構であって、本発明による装置に組み入れられることが有利に可能である機構を概略的に示す図であり、２本の摺動ロッドを含む機構の可能な一実施形態を示す図である。
【図６（Ｄ）】患者の乳房を圧迫するように圧迫板を移動させる可能な機構であって、本発明による装置に組み入れられることが有利に可能である機構を概略的に示す図であり、伸縮入れ子式ブロックを含む機構の可能な一実施形態を示す図である。
【図６（Ｅ）】患者の乳房を圧迫するように圧迫板を移動させる可能な機構であって、本発明による装置に組み入れられることが有利に可能である機構を概略的に示す図であり、２本の伸縮入れ子ロッドを含む機構の可能な一実施形態を示す図である。
【図６（Ｆ）】患者の乳房を圧迫するように圧迫板を移動させる可能な機構であって、本発明による装置に組み入れられることが有利に可能である機構を概略的に示す図であり、鋏ヒンジ式アームを含む機構の可能な一実施形態を示す図である。
【図７】本発明による装置を保管、輸送及び保護するための外殻の可能な変形形態を概略的に示す図である。
【図８（Ａ）】格納位における装置の第一の可能な保管位置を概略的に示す図である。
【図８（Ｂ）】格納位における装置の第二の可能な保管位置を概略的に示す図である。
【図９（Ａ）】検出器プラットフォームと装置の本体との間の境界部の可能な実施形態を概略的に示す図である。
【図９（Ｂ）】検出器プラットフォームと装置の本体との間の境界部の可能な実施形態を概略的に示す図である。
【図９（Ｃ）】検出器プラットフォームと装置の本体との間の境界部の可能な実施形態を概略的に示す図である。
【図９（Ｄ）】検出器プラットフォームと装置の本体との間の境界部の可能な実施形態を概略的に示す図である。
【図９（Ｅ）】検出器プラットフォームと装置の本体との間の境界部の可能な実施形態を概略的に示す図である。
【図１０（Ａ）】線源と装置の本体との間の境界部の可能な実施形態を概略的に示す図である。
【図１０（Ｂ）】線源と装置の本体との間の境界部の可能な実施形態を概略的に示す図である。
【図１０（Ｃ）】線源と装置の本体との間の境界部の可能な実施形態を概略的に示す図である。
【図１０（Ｄ）】線源と装置の本体との間の境界部の可能な実施形態を概略的に示す図である。
【図１０（Ｅ）】線源と装置の本体との間の境界部の可能な実施形態を概略的に示す図である。
【００３６】
全ての図において、類似の部材は同等の参照番号を有する。
【発明を実施するための形態】
【００３７】
図３（Ａ）、図３（Ｂ）、図３（Ｃ）、図４及び図５は、本発明によるマンモグラフィ又はトモシンセシスのための装置１の可能な実施形態を概略的に示す。
【００３８】
本発明による装置は、
・一方では図３（Ｃ）、図４及び図５に示すように装置の通常動作時すなわちマンモグラフィ又はトモシンセシス撮像のための展開位を有し、
・他方では例えば図３（Ａ）に示すように保管のため及び／又は例えば図３（Ｂ）に示すように輸送のための格納位を有する
ように構成されている。
【００３９】
図３（Ｃ）、図４及び図５において認められるように、動作時には、装置１は図１、図２（Ａ）及び図２（Ｂ）に関する本記載の導入部に掲げられている全ての従来の構成部品を含んでおり、記載のこれらの部分については、分かり易く簡潔にする理由で再録しない。
【００４０】
しかしながら、これらの構成部品は、装置１の本体１７として組み立てられることが特記される。本体１７は最も有利には単一の中実体とされる。
【００４１】
本体１７の構成部品は、装置１に軽量及び剛性を与える十分な機械的特性を有する任意の剛性材料、例えば炭素繊維とされる。
【００４２】
本体１７は有利には、Ｘ線の発生を制御し、Ｘ線検出器３１から導かれる画像を少なくとも取得して処理まで行なうのに必要とされるそれ自体公知である全ての電気的手段及び電子的手段を含み得る。
【００４３】
本体１７の全ての電気的手段及び電子的手段の給電は好ましくは、本線給電を介して又は選択随意でバッテリによって行なわれる。
【００４４】
また、図３（Ａ）及び図３（Ｂ）で認められるように、装置１は例えば、限定しないが、格納位での装置１の保管及び／又は輸送時に装置１を保管及び／又は輸送及び／又は保護するための外殻１０を含んでいる。
【００４５】
有利には、本記載の残部でさらに詳細に示されるように、装置１の全ての構成部品（特にＸ線源２及び検出器プラットフォーム３）は、装置の保管及び輸送用格納位では外殻１０の内部空間に配置される。
【００４６】
加えて、装置は特に格納位では「超小型軽量」であり、すなわち重量が１００ｋｇ未満であるが、好ましくは８０ｋｇ未満であり、最も好ましくは重量は６０ｋｇと４０ｋｇとの間にある。本記載の残部でさらに詳細に示されるように、前記超小型軽量という特徴は、材料の適切な選択、及び適切に選択された電動化の排除を通して得ることができる。
【００４７】
本発明による装置は格納位ではコンパクト（容積は高さ１ｍ、幅０．５ｍ、及び奥行き約０．４ｍ程度）であり、これにより自動車のような輸送手段（移動式マンモグラフィ専用でない輸送手段）の貨物室に問題なく収まるような扱い易さを介して超小型軽量性を強化する。
【００４８】
この装置は超小型軽量であるため、一人又は二人までによって一つの場所からもう一つの場所まで輸送されることができ、例えば自動車のような輸送手段（移動式マンモグラフィ専用でない輸送手段）の貨物室から業務用エレベータ又はフォークリフトの助けなしに荷下ろしされることができ、また例えば一つの検査室からもう一つの検査室へ容易に輸送され得る。
【００４９】
ここで、格納位にある装置１について、図３（Ａ）及び図３（Ｂ）を参照してさらに詳細な説明を掲げる。
【００５０】
外殻１０は、
・装置１の超小型軽量性を保証するために軽量であり、
・保管及び／又は輸送されるときの装置１の保護を保証するために剛性である
材料とされる。
【００５１】
外殻１０は、例えばプラスチック材料又は炭素繊維とされるが、装置１の保護を保証するのに十分な機械的強度を有する他の任意の軽量材料であってもよい。
【００５２】
外殻１０には好ましくは、限定しないが、輸送のための少なくとも一つの車輪１６が設けられる。
【００５３】
有利には、外殻１０は、当該外殻１０の何れかの側で下部に装着されて、動作時には床に近接して位置することを意図される２個の車輪１６を含んでいる。
【００５４】
各々の車輪１６は有利には、実質的に矩形の板１５に回転装着され、板１５は、
・図３（Ｂ）に示すような装置１の輸送時に外殻１０が床を車輪移動させられるように、外殻１０に対して展開され、
・外殻１０に並行して格納される
ことができ、外殻１０と板１５との間のヒンジを介して図３（Ｂ）に示すようにεによって畳み込まれたり動作可能にされたりし、板１５のこの畳み込みは外殻１０のコンパクト性を強化する。
【００５５】
板１５はまた、図３（Ａ）で分かるように装置１及び／又は外殻１０のための安定化用台足１５を形成し得る。
【００５６】
この目的のために、各々の板１５が、外殻１０に対して１８０°未満の外角γをなして、外殻１０の据わりをよくすることができる。
【００５７】
少なくとも一つの車輪１６は有利には、展開位において装置を安定化するための制動系統を含んでいる。
【００５８】
図３（Ａ）及び図３（Ｂ）でさらに正確に分かるように、外殻１０は、一種のスーツケースを形成するように、例えば外殻１０の下部の反対側の上部に少なくとも一つの把手１１１を含み得る。
【００５９】
外殻１０はまた下部に、図３（Ａ）の保管位から図３（Ｂ）の輸送位に移動させるように装置１の利用者がさらに容易に外殻１０を車輪１６の上で傾斜させ得るようにする当該利用者の足のための足踏みレバー１１３を含み得る。
【００６０】
外殻１０は、分離部１１１２によって互いから離隔される
第一の部分１１と、
第二の部分１２と
を含んでいることが理解されよう。
【００６１】
保管及び／又は輸送のための格納位では、外殻１０を形成している第一の部分１１及び第二の部分１２は、少なくとも一つの係止部１１１３によって互いに対して接合されて固定されており、係止部１１１３は有利には、対合（mating）形状、例えば環と協働するフック又は対応する溝と協働するリムで形成される。
【００６２】
係止部１１１３は、例えば図３（Ｃ）、図４及び図５に示すように第二の部分１２が第一の部分１１から離隔され得るように解除され得る。
【００６３】
第二の部分１２は単に、図７に示すようにヒンジ系１１１４によって第一の部分１１に対して傾斜させられ得ることが明らかに理解される。
【００６４】
図３（Ｃ）及び図４は、少なくとも外殻１０の部分１１が装置１の本体１７の一部を形成することを示している。従って、第一の部分１１は、装置１の動作位にあるときには、垂直位にあって本体１７の外壁を形成し、撮像に必要とされる全ての電気的手段及び電子的手段を収納する。
【００６５】
図５は、もう一つの実施形態に従って部分１１及び部分１２が本体１７から離隔されることを示している。従って、装置１は格納位に配置された後に外殻１０に挿入され、すると外殻１０が一種のスーツケースを形成する。
【００６６】
格納位と動作のための展開位との間の中間位にある装置１について、図８（Ａ）及び図８（Ｂ）を参照してさらに詳細な説明を掲げる。
【００６７】
図８（Ａ）に示すように、Ｘ線源２はガントリ５に着脱自在に配置される。
【００６８】
この場合には、線源２は、ガントリ５に並列して保管されるように、第二の部分１２の内側部１２１に設けられた対応する収納凹部１２３に保管され得る。
【００６９】
図８（Ｂ）に示すように、Ｘ線源２は、ピボットを形成するヒンジ５３によってガントリ５の長手軸に対して回転装着される。
【００７０】
この場合には、線源２は、ガントリ５に垂直に保管され得るように、第二の部分１２の内側部１２１に設けられた対応する収納凹部１２３に保管され得る。このように、線源２は図８（Ｂ）に概略図示されているように本体１７の平面に載置される。
【００７１】
装置１をさらにコンパクトにするために、Ｘ線源２は好ましくは単体とされ、すなわちＸ線放出管及び対応する高電圧発生器の両方を含んでいる。
【００７２】
また、格納位にある装置をさらにコンパクトにするために、Ｘ線検出器３１を一体化している検出器プラットフォーム３は、装置１の本体１７から取り外され得る。
【００７３】
この場合には、図３（Ｃ）、図４、図５、図８（Ａ）及び図８（Ｂ）に示すように、検出器プラットフォーム３は好ましくは、ガントリ５に並列して保管されるように、第二の部分１２の内側部１２１に設けられた対応する収納凹部１２４に収容される。
【００７４】
ガントリ５が旋回することを可能にする本体１７の中央突起部１７１もまた、第二の部分１２の内側部１２１の対応する収納凹部１２２に収容され得る。
【００７５】
有利には、第二の部分１２及び第一の部分１１のそれぞれの内側部１１２及び１２１には、保管及び／又は輸送されているときの衝撃から装置１の構成部品を保護する例えば発泡材が充填されている。
【００７６】
ここで、通常動作のための展開位にある装置１について、図３（Ｃ）、図４及び図５を参照してさらに詳細な説明を掲げる。
【００７７】
装置１は好ましくは、本体１７に対してガントリ５と同じ側に好ましくは位置する安定化用台足１３を含んでいる。
【００７８】
台足１３は好ましくは長板の形態にあって、本体１７に回転自在で装着されており、
・９０°に実質的に等しい動程ηによって本体１７に対して展開され、
・本体１７と並行して、装置１の本体１７に設けられている対応する収納凹部１４に格納される
ことができ、台足１３の前記畳み込みは装置１のコンパクト性を強化し、また第二の部分１２が第一の部分１１の上に戻されて配置されることを可能にする。
【００７９】
装置１の安定性を高めるために、台足１３はまた、本体１７の据わりをよくするように装置１の本体１７に対して１８０°未満の外角γを形成する。
【００８０】
例えば図４及び図５に示すように、装置１は、
・第一の部分１１から第二の部分１２を分離させた後、且つ
・安定化用台足１３を展開させる前
に、装置１を安定化させるために、本体１７に対して台足１３の間の中間に配置される付加的な安定化用台足１７２を含み得る。
【００８１】
台足１７２及び１３は、機械的強度の理由のため例えば金属で製造される。
【００８２】
次いで、ガントリ５は、中央部１７１を中心として装置１の本体１７に回転装着されるので、図８（Ａ）及び図８（Ｂ）に示す位置から可能性としては１８０°までの角度βで展開され得る。
【００８３】
図８（Ａ）の保管様態から開始して、線源２は、図３（Ｃ）及び図４に矢印κによって示すようにガントリ５の上部に固定される。
【００８４】
図１０（Ａ）、図１０（Ｂ）及び図１０（Ｃ）に示すように、固定は好ましくは、写真術に用いられる差し込み（bayonet）マウント形式を用いて得られる。従って、線源２は実質的に円筒形の部品を含んでおり、この部品は、本体１７の対応する実質的に円筒形の部品に設けられたＬ字形溝６４と協働する少なくとも一つの半径方向ロッド２４を含んでいる。一旦、ロッド２４がＬ字溝の底辺に達したら、線源２が本体１７に着脱自在に取り付けられるようにロッド２４は僅かな回転を受ける。図１０（Ａ）、図１０（Ｂ）及び図１０（Ｃ）では、電気接続２６０が周辺のフラット電気コネクタとして設けられているが、電気接続２６０は中央に配置（図１０（Ｄ）及び図１０（Ｅ））されていてもよいし、電気ケーブル（図９（Ｂ）に示す形式の）を介して線源２に接続されたプラグと協働する本体１７の例えばソケットで形成されていてもよい。
【００８５】
ねじ付きナット形式（図１０（Ｄ）及び図１０（Ｅ）にあるようなもの。この場合には装着は、例えば線源２において周辺に設けられた円形ねじ溝２６４１と、本体１７に設けられた対応する内部ねじ溝２６４２との協働によって得られる。）及び可逆弾性圧入（図９（Ｄ）及び図９（Ｅ）にあるようなクリップ）を用いた装着等のような他の代替的な装着も可能である。
【００８６】
図８（Ｂ）の保管様態から開始して、線源２は、図５に示すようなヒンジ５３によってガントリ５の長手軸に対して９０°の回転θを受ける。
【００８７】
装置１の本体１７への検出器プラットフォーム３の着脱自在の固定は好ましくは、可逆弾性圧入形式、差し込み形式又はねじ付きナット形式の装着によって得られる。
【００８８】
ねじ付きナット形式の固定を図９（Ａ）及び図９（Ｂ）に概略図示する。この場合には、固定は例えば翼付きヘッド３６４２で終端しているねじ溝付きロッド３６４１で形成され、ロッド３６４１は、検出器プラットフォーム３に設けられた開口部３６４３を通過して、本体１７に穿孔された孔１６１１と協働する。従って、締めた後には、検出器プラットフォーム３はヘッド３６４２と本体１７との間に係止される。
【００８９】
差し込み形式の固定を図９（Ｃ）に概略図示する。この場合には、装着は少なくとも一つのラグ（lug）３６４１で例えば形成され、ラグ３６４１は例えばＴ字形であって、本体１７の少なくとも一つのＬ字形溝１６１１と協働し、溝１６１のＬ字の短辺が本体１７の下部に面している。挿入（並進及び／又は回転による）の後には、検出器プラットフォーム３は、ラグ３６４１のＴ字の短辺を溝１６１１のＬ字の短辺に配置することにより係止される。
【００９０】
可逆弾性圧入を介した固定を図９（Ｄ）及び図９（Ｅ）に示す。
【００９１】
図９（Ｄ）では、例えば本体１７に設けられたラグ６５が検出器プラットフォーム３（又は線源２）の二つの外形２３５及び２３６と協働して、軸ＢＢ′に沿って力を加えることにより可逆弾性圧入を達成している。
【００９２】
図９（Ｅ）では、ラグ６５の近くに突出部６６が設けられて、本体６の局所的な変形を許して、軸ＢＢ′に沿った力を回避している。
【００９３】
図９（Ａ）及び図９（Ｃ）では、接続２６０は、境界部の中央のフラット電気コネクタで形成されているが、電気ケーブル（図９（Ｂ））を介して検出器プラットフォーム３に接続されたプラグと協働する本体１７の例えばソケットで形成されていてもよい。
【００９４】
上述の接続２６０及びマウントの任意の組み合わせを設けること、並びに線源を検出器プラットフォームに適応させるマウント、また反対のマウントを設けることが明らかに可能である。
【００９５】
線源２及び検出器プラットフォーム３が展開されると、線源２はＸ線撮像のために検出器プラットフォーム３から離隔した十分な距離に位置する。
【００９６】
通常作用時にあるときには、圧迫板４が、患者の乳房を圧迫するのに用いられ得るように、検出器プラットフォーム３に対して移動させられる。
【００９７】
この目的のために、先ず圧迫板４に接続されるキャリッジ７はまた、圧迫板４を移動させる機構にも接続される。
【００９８】
図３（Ｃ）、図４及び図５で認められるように、圧迫板を移動させる機構は、Ｘ線検出器３１を一体化した検出器プラットフォーム３の表面Ｓの何れの側にも位置し得る。表面Ｓは平坦であっても彎曲していてもよい。
【００９９】
機構及びキャリッジ７の通過のために、検出器プラットフォーム３は、本体１７の中央部１７１の側に設けられた切除部３２を含んでいる。
【０１００】
機構は表面Ｓに対して上側位置のみ（従来技術のように）ではなく表面Ｓの何れの側にも配置され得るので、さらにコンパクトな中央部１７１を有することができる。
【０１０１】
装置１の超小型軽量性を提供するために、圧迫板４の移動は有利には、如何なる電動化の存在も回避するように、例えば指動輪７１によって得られる。明らかに、圧迫板４の移動が電動化されていてもよい。
【０１０２】
本記載の残部ではこの機構の様々な実施形態についてさらに詳細に記載する。
【０１０３】
本記載にさらに詳細に記載される全実施形態において、変位機構は、本体１７及び／又は検出器プラットフォーム３に対して移動自在である支柱を含んでおり、この支柱は、図６（Ａ）から図６（Ｆ）においてｈ又はｈ′によって識別される表面Ｓに対する当該支柱の最大伸長範囲が検出器プラットフォーム３に対する圧迫板４の変位に従うように構成されている。
〔第一の一般的実施形態〕
第一の一般的実施形態によれば、機構は、装置１の本体１７及び／又は検出器プラットフォーム３に設けられている少なくとも一つの対応する受入部に摺動自在に装着される支柱を含んでいる。
【０１０４】
前記支柱８０１を含む機構８０の一つの第一の可能な実施形態が図６（Ａ）に概略図示されている。
【０１０５】
支柱８０１は剛体ブロックを形成しており、圧迫板４に接続されたキャリッジ７を支持している。支柱８０１が摺動自在に装着される受入部８０２は、対応する内面を有していることが理解されよう。
【０１０６】
有利には、支柱を形成するブロック８０１は横長形状の中実ブロックであり、キャリッジ７及び圧迫板４の所要の動程距離に実質的に等しい長さを有する。
【０１０７】
受入部８０２の内部での支柱ブロック８０１の動程は連続しているが、乳房を検出器プラットフォーム３に載置するための最上位置ｈと、乳房を検出器プラットフォーム３に押圧するための最下位置ｈ′との二つの位置を主に有する。両方の場合に、図６（Ａ）においてｈ又はｈ′によって識別される表面Ｓに対する支柱８０１の最大伸長範囲は、検出器プラットフォーム３に対する圧迫板４の移動に従うことが特記される。
【０１０８】
キャリッジ７は、圧迫板に接続されて、支柱８０１の自由端において上側位置に位置する。
【０１０９】
一方、受入部８０２は、検出器プラットフォーム３の表面Ｓに対して下側位置に位置するので、圧迫板４を移動させるための機構８０は、検出器プラットフォーム３の表面Ｓの何れの側にも延在する。従って、圧迫板４を移動させる機構８０は、図１の従来技術に比較して検出器プラットフォーム３の最上部の上方で占める空間が少なく、これにより例えば超小型軽量装置への機構８０の組み込みを可能にすることが理解される。
【０１１０】
装置１の本体１７及び／又は検出器プラットフォーム３に設けられた対応する受入部８１２に摺動自在に装着される支柱８１１を含む機構８１の第二の可能な実施形態を図６（Ｂ）に示す。
【０１１１】
支柱８１１は、アーム８１３に接続されたキャリッジ７を担持するブロックを形成しており、アーム８１３自体が圧迫板４に接続されている。
【０１１２】
従って、図６（Ａ）の実施形態の場合のように支柱８１１の自由端の上側位置に配置される代わりに、キャリッジ７は、圧迫板４を移動させるための機構８１に対して中間位置に位置する。
【０１１３】
従って、アーム８１３は支柱８１１に平行に延在して、エルボ８１３１を介して圧迫板４にリンクされる。
【０１１４】
従って、前と同様に、支柱８１１は、検出器プラットフォーム３に対してアーム８１３を介して圧迫板４を上下動させるために、検出器プラットフォーム３の表面Ｓに対して下側位置に配置された受入部８１２の内部を移動する。
【０１１５】
従って、アーム８１３は、検出器プラットフォーム３に対して最上位置ｈ及び最下位置ｈ′の二つの端部位置を有し得る。
【０１１６】
従って、支柱８１１の端から端までの伸長範囲は、検出器プラットフォーム３に対する圧迫板４の移動に従うことが理解されよう。
【０１１７】
支柱ブロック８０１及び８１１の断面は矩形であるが、他の形態も明らかに設けられ得る。
【０１１８】
図６（Ｃ）は、支柱８２１を含む機構８２の第三の可能な実施形態を概略図示しており、支柱８２１は、装置１の本体１７及び／又は検出器プラットフォーム３の少なくとも一方の対応する受入部８２２に摺動自在に装着されている。
【０１１９】
図６（Ｃ）で分かるように、支柱８２１は装置１の本体１７及び／又は検出器プラットフォーム３に設けられた少なくとも２本の剛体ロッド８２１１を含んでおり、ロッド８２１１は対合内部形状を有する少なくとも２本の管８２２１に摺動自在に装着される。
【０１２０】
キャリッジ７は好ましくは、ロッド８２１１の自由端の上側位置に配置される。
【０１２１】
前と同様に、機構８２は、検出器プラットフォーム３の表面Ｓの何れの側にも延在しており、キャリッジは、検出器プラットフォーム３に対する二つの端部位置すなわち最上位置ｈ及び最下位置ｈ′を有する。
【０１２２】
ロッド８２１１の断面は例えば円形であるが、他の形態の断面も明らかに設けられ得る。
【０１２３】
受入部８０２、８１２又は８２２のそれぞれ内部での支柱８０１、８１１又は８２１の上下動は、当業者に公知の任意の態様を用いて、例えばラック及び歯付き車輪、イモねじ、空気圧シリンダ又は油圧シリンダ等の機械的協働によって行なわれ得る。
【０１２４】
受入部８０２、８１２又は８２２の内部での支柱８０１、８１１又は８２１の移動は、例えば指動輪７１による手動であってもよいし、電動式であってもよい。
〔第二の一般的実施形態〕
第二の一般的実施形態によれば、機構は、装置１の本体１７及び／又は検出器プラットフォーム３に対して伸縮入れ子式である支柱を含んでいる。
【０１２５】
前記支柱８３１を含む機構８３の第一の可能な実施形態を図６（Ｄ）に示す。
【０１２６】
支柱８３１は伸縮入れ子式ブロックを形成しており、ブロックの自由端の上部で圧迫板４に接続されたキャリッジ７を支持している。
【０１２７】
ブロック８３１は、例えば三つの段を含んでいてもよいが、異なる数で設けられていてもよい。
【０１２８】
図６（Ｅ）に示す前記支柱８４１を含む機構８４の第二の可能な実施形態によれば、支柱８４１は少なくとも２本の伸縮入れ子ロッド８４１１を含んでおり、ロッド８４１１の自由端の上部で圧迫板４に接続されたキャリッジ７を支持している。
【０１２９】
両方の場合において、伸縮入れ子式支柱８３１又は８４１は、キャリッジ７のｈと示された端部最上位置と端部最下位置ｈ′との間で検出器プラットフォーム３及び／又は本体１７に対して移動自在である。
【０１３０】
図６（Ｄ）及び図６（Ｅ）で認められるように、ブロック８３１又はロッド８４１１は有利には、限定しないが、格納位では装置１の本体１７及び／又は検出器プラットフォーム３に設けられている対合形状の受入部８３２又は８４２の内部に収容され得る。従って、機構８３又は８４は、検出器プラットフォーム３の表面Ｓの何れの側にも延在する。
【０１３１】
伸縮入れ子式ブロック８３１の断面は例えば矩形であり、ロッド８４１１の断面は例えば円形であるが、他の形態の断面も明らかに設けられ得る。
【０１３２】
受入部８３２又は８４２それぞれにおける支柱８３１又は８４１の上下動は具体的には、限定しないが、当業者に公知の任意の態様を用いて、例えば中空若しくは伸縮入れ子式のイモねじ、空気圧シリンダ又は油圧シリンダ等の機械的協働によって行なわれ得る。
【０１３３】
支柱８３１又は８４１の移動は、例えば指動輪７１による手動であってもよいし、電動式であってもよい。
〔第三の一般的実施形態〕
第三の一般的実施形態によれば、装置１は、鋏ヒンジ式の支柱８５１を含む機構８５を含んでいる。
【０１３４】
図６（Ｆ）に示すように、支柱８５１は少なくとも一つの段を含んでおり、各々の段がＸ字形状で交差してピボット・リンク８５１３によって実質的に中心でヒンジ留めされた少なくとも２本のアーム８５１１及び８５１２を含んでおり、鋏様構造を形成し、従って圧迫板４に接続されたキャリッジ７をアーム８５１１及び８５１２の間隔ｘに関して上下動させることができる。
【０１３５】
図６（Ｆ）では、支柱８５１は二つの段を含んでいるが、任意の数の段が明らかに設けられ得る。
【０１３６】
機構８５はまた、ヒンジ式支柱８５１によって利用者又は患者を挟み込む可能性に関連する問題を防ぐように、支柱８５１の周りに保護８５３を含んでいる。
【０１３７】
前記保護８５３は、例えば伸縮性織物又は剛体伸縮入れ子式構造で例えば形成され得る。
【０１３８】
前と同様に、支柱８５１の移動は手動であっても電動式であってもよい。
【０１３９】
キャリッジ７は、図６（Ｂ）を参照すると機構の中間位置に位置するように記載されており、キャリッジ７はアーム８１３に接続され、アーム８１３自体は圧迫板４に接続されている。前記キャリッジ７及び前記アーム８１３は、他の図に記載されている各実施形態に対する変形形態として適用され得ることが明らかに理解されよう。
【０１４０】
装置１は有利には、図５に示すように、中央部１７１の周囲及び検出器プラットフォーム３の周囲で装置１の本体１７に有利には回転装着され得る少なくとも一つの把手９を含んでいるため、患者は撮像時に把手９を把持することができる。
【０１４１】
把手はまた有利には、後述するような展開位及び格納位を有し得るように構成されている。
【０１４２】
従って、把手９は、対応する外管９１に摺動自在に装着されることができ、管９１及び把手９は全体的にＣ字形に成形されている。把手９が管９１の完全に内部に位置しているときには把手９は格納位にあり、把手９が管９１から少なくとも部分的に突出しているときには把手９は展開位にある。管９１から突出した把手９の長さは、様々な患者の身長への適応を可能にする。
【０１４３】
管９１及び把手９によって形成されるＣ字形は好ましくは、展開位ではガントリ５に対して検出器プラットフォーム３の下方に配置される。
【０１４４】
管９１及び把手９によって形成されるＣ字形は、装置１の本体１７に対して傾斜していてよく、例えば把手９の自由端が管９１を出るときに出るにつれて近くに引き寄せられること、又は反対を可能にする。また、１本、２本又は３本の軸に沿って管９１の機械的自由度を提供することが可能である。
【０１４５】
管９１から出た後の把手９の長さはまた、撮像の角度に関して必要とされる角度を把手９に与えることを可能にする。
【０１４６】
図３（Ｃ）、図４及び図５に示すように、従来と同様に、ガントリ５は展開位にあるときに、幾つかの可能な角度から画像を撮影することを可能にするように角度範囲αを実効的に有することができる。
【０１４７】
マンモグラフィでは、検出器プラットフォーム３はガントリ５に対して係止位にあり、ガントリ５の角度移動に従う。次いで、中央部１７１は、ガントリ５と同時に本体１７に対する回転を受けることができる。
【０１４８】
しかしながら、有利には、装置１をトモシンセシスすなわち単一のサイクルでの放射線画像の系列全体に用いて、患者の乳房の三次元放射線画像を形成することもできる。この場合には、検出器プラットフォーム３はガントリ５に対して非係止位置にあり、ガントリ５の角度移動時に本体１７に対して固定されたままである（中央部１７１も同様）。
【０１４９】
装置１に超小型軽量性を与えるために、ガントリ５の角度移動αは有利には、モータの存在を回避するために手動とする。
【０１５０】
この場合には、ガントリ５は好ましくは、ガントリ５を手動で回転設定する把手を含んでおり、ガントリ５の角度移動は好ましくは、本体１７に設けられた目盛り５４によって識別される。
【０１５１】
明らかに、ガントリ５の角度移動は電動式であってもよいし、且つ／又は電位差計若しくは光学式エンコーダのような他の手段によって識別されてもよい。
【０１５２】
線源２の相対的に重い重量（２０ｋｇ程度）を相殺するために、装置１は有利には、ガントリ５の均衡化手段５２を含んでいる。
【０１５３】
均衡化手段５２は、本体１７に対してガントリ５の対角方向反対側の位置に配置された釣り合い錘で形成され得る。均衡化手段５２はまた、当業者に公知のような一定の力のばねによって結合されて本体１７に接続された二つの歯付き車輪を含むことができ、これによりさらに軽量でコンパクトになる。
【０１５４】
装置１は好ましくは、マンモグラフィ画像及び／又はトモシンセシス画像を記憶する空間１８を単に含んでおり、目視のための画像の表示は解析室で後に行なわれる。
【０１５５】
記憶空間１８は、例えばフラッシュ・メモリ又はハードディスクであってよい。
【０１５６】
装置１はまた、放射線パラメータ及び／又は画像取得パラメータを制御し且つ／又は調節するローカル手段１９を含み得る。
【０１５７】
装置１はまた、放射線パラメータ及び／又は画像取得パラメータを
・制御し、且つ／又は
・調節する
外部装置２０とのリンク２０１を有するように構成され得る。
【０１５８】
装置２０はまた、マンモグラフィ画像及び／又はトモシンセシス画像を観察するように構成され得る。
【０１５９】
リンク２０１は有線リンクであっても無線リンク（例えばWIFI又はBluetoothプロトコル）であってもよい。
【０１６０】
外部装置２０は、放射線パラメータ及び／又は画像取得パラメータを制御し且つ／又は調節するための従来のコンソールであってよい。装置２０はまた、ＰＣ、ＰＤＡ又はパッド形式の小型軽量装置であってよい。
【符号の説明】
【０１６１】
１：マンモグラフィ又はトモシンセシス装置
２：Ｘ線源
３：検出器プラットフォーム
４：圧迫板
５：ガントリ
６：垂直構造
７：キャリッジ
８：レール
９：把手
１０：外殻
１１：第一の部分
１２：第二の部分
１３：安定化用台足
１４：台足収納凹部
１５：板
１６：車輪
１７：本体
１８：空間
１９：ローカル手段
２０：外部装置
２１：Ｘ線放出管
２４：半径方向ロッド
３０：乳房支持板
３１：検出器
３２：切除部
５１：把手
５２：均衡化手段
５３：ヒンジ
５４：目盛り
６１：基台
６４：Ｌ字形溝
６５：ラグ
６６：突出部
７１：指動輪
８０、８１、８２、８３、８４、８５、：機構
９１：外管
１１１：把手
１１２：第一の部分の内側部
１１３：足踏みレバー
１２１：第二の部分の内側部
１２２、１２３、１２４：収納凹部
１７１：中央突起部
１７２：付加的な安定化用台足
２０１：リンク
２３５、２３６：外形
２６０：電気接続
８０１、８１１、８２１、８３１：支柱
８０２、８１２、８２２、８３２、８４２：受入部
８１３：アーム
８４１：伸縮入れ子式支柱
８５１：鋏ヒンジ式支柱
８５３：保護
１１１２：分離部
１１１３：係止部
１１１４：ヒンジ系
１６１１：孔
２６４１：円形ねじ溝
２６４２：内部ねじ溝
３６４１：ねじ溝付きロッド
３６４２：翼付きヘッド
３６４３：開口部
８１３１：エルボ
８２１１：剛体ロッド
８２２１：管
８４１１：伸縮入れ子ロッド
８５１１、８５１２：アーム
８５１３：ピボット・リンク
【図１】
2014529468.tif 000003
【図２（Ａ）】
2014529468.tif 000004
【図２（Ｂ）】
2014529468.tif 000005
【図３（Ａ）】
2014529468.tif 000006
【図３（Ｂ）】
2014529468.tif 000007
【図３（Ｃ）】
2014529468.tif 000008
【図４】
2014529468.tif 000009
【図５】
2014529468.tif 000010
【図６（Ａ）】
2014529468.tif 000011
【図６（Ｂ）】
2014529468.tif 000012
【図６（Ｃ）】
2014529468.tif 000013
【図６（Ｄ）】
2014529468.tif 000014
【図６（Ｅ）】
2014529468.tif 000015
【図６（Ｆ）】
2014529468.tif 000016
【図７】
2014529468.tif 000017
【図８（Ａ）】
2014529468.tif 000018
【図８（Ｂ）】
2014529468.tif 000019
【図９（Ａ）】
2014529468.tif 000020
【図９（Ｂ）】
2014529468.tif 000021
【図９（Ｃ）】
2014529468.tif 000022
【図９（Ｄ）】
2014529468.tif 000023
【図９（Ｅ）】
2014529468.tif 000024
【図１０（Ａ）】
2014529468.tif 000025
【図１０（Ｂ）】
2014529468.tif 000026
【図１０（Ｃ）】
2014529468.tif 000027
【図１０（Ｄ）】
2014529468.tif 000028
【図１０（Ｅ）】
2014529468.tif 000029
【国際調査報告】
2014529468.tif 000030
2014529468.tif 000031
2014529468.tif 000032